(57)【要約】【課題】複数の導光棒と複数の光源との位置合わせの容易化を図る。【解決手段】表面枠２と裏面枠３とが互いに組み合わされ、上導光構造体４における左右側壁４１；４２の内側に近い部分での導光棒１２、中導光構造体５における左右側壁４４；４５の内側に近い部分での導光棒１３、下導光構造体６における左右側壁４９；５０の内側に近い部分での導光棒１４が、表面枠２における左右の導光収納部３０に取り込まれ、表面枠２の取付部３９と裏面枠３の取付部９９とが互いに嵌め合わせて、表面枠２と裏面枠３とが上中下導光構造体４乃至６、上中下演出表示基板７乃至９、状態表示基板１０、表示レンズ１１を前後方向からサンドイッチ状態に挟むように支持し、多数本の導光棒１２；１３；１４と多数個の光源１５；１６；１７とが正確に位置決めされる。【選択図】図１
2006075258.tif 000002
【特許請求の範囲】
【請求項１】
導光構造体が複数の導光棒を互いに隙間を介在し平行に並列に配置して一体に連結した構造に形成され、演出表示基板が複数の光源の実装された構造に形成され、導光構造体の導光棒の端面と演出表示基板の光源とが互いに対向され、導光構造体と演出表示基板とが表面枠と裏面枠との間に配置され、表面枠と裏面枠とが導光構造体と演出表示基板とを前後方向から挟むように支持し、表面枠と裏面枠とが互いに結合されたことを特徴とする遊技機の前面パネル枠。
【請求項２】
表面枠と裏面枠および導光構造体が前後方向に貫通する窓を備え、裏面枠の裏面に窓を塞ぐ透過性パネルを設けたことを特徴とする請求項１記載の遊技機の前面パネル枠。
【請求項３】
裏面枠の前面が導光棒からの照明光を表面枠の方向に反射する反射面に形成されたことを特徴とする請求項１記載の遊技機の前面パネル枠。
【請求項４】
表面枠に導光構造体の導光棒を個別に収納する導光収納部を設けたことを特徴とする請求項１記載の遊技機の前面パネル枠。
【発明の詳細な説明】
【技術分野】
【０００１】
本発明は、複数の導光棒と複数の光源との位置合わせが容易な遊技機の前面パネル枠に関する。
【背景技術】
【０００２】
パチンコ機やスロットマシンなどの遊技機では、光を透過する無色なガラスまたは合成樹脂により形成された透過性パネルを備えた前面パネル枠が、遊技盤や図柄表示器などの遊技機主体を格納する遊技機枠の前面に、前側横方向に開閉可能に装着されている。そして、遊技主体が遊技機枠に格納され、前面パネル枠が閉じられて遊技機枠に支持された場合、遊技盤の前面における球の飛び交う遊技領域または図柄表示器の前面における図柄が遊技機の前側から透過性パネルを通して遊技者に視認できるようになっている。前面パネル枠は、光や音で遊技に関連する演出や情報を遊技者に知らせるために、表示灯やスピーカを備えている。しかしながら、ＬＥＤや電球のような光源を実装した表示灯基板が前面パネル枠における光を透過する合成樹脂からなる表面枠の裏面に取り付けられ、光源からの光が表面枠を透過する構造である。このため、光による表示がピンポイント的であって、遊技者に訴える光による演出性能が低いという欠点があった。そこで、導光棒を表面枠の裏面に配置し、光源の光を導光棒に入射し、表面枠を全体的に照明することによって、上記演出性能を高めることが考えられるけれども、多数本の導光棒と多数個の光源とを表面枠の裏面に正確に位置を合わせて組み込むのに、多大な労力と時間とを要するので、にわかに採用しがたい。
【特許文献１】特開２００３−１０２９３７号公報
【特許文献２】特開２００３−３０８７０５号公報
【特許文献３】特開２００１−２８１４５７号公報
【発明の開示】
【発明が解決しようとする課題】
【０００３】
発明が解決しようとする問題点は、複数の導光棒と複数の光源とを表面枠の裏面に設け、多数本の導光棒で表面枠を全体的に照明し、遊技者に訴える光による演出性能を高めようとすると、複数の導光棒と複数の光源と正確に位置を合わせて組み込むのが難しいという点である。
【課題を解決するための手段】
【０００４】
本発明に係る遊技機の前面パネル枠は、導光構造体が複数の導光棒を互いに隙間を介在し平行に並列に配置して一体に連結した構造に形成され、演出表示基板が複数の光源の実装された構造に形成され、導光構造体の導光棒の端面と演出表示基板の光源とが互いに対向され、導光構造体と演出表示基板とが表面枠と裏面枠との間に配置され、表面枠と裏面枠とが導光構造体と演出表示基板とを前後方向から挟むように支持し、表面枠と裏面枠とが互いに結合されたことを最も主要な特徴とする。本発明に係る遊技機の前面パネル枠は、表面枠と裏面枠および導光構造体が前後方向に貫通する窓を備え、裏面枠の裏面に窓を塞ぐ透過性パネルを設けたり、裏面枠の前面が導光棒からの照明光を表面枠の方向に反射する反射面に形成されたり、表面枠に導光構造体の導光棒を個別に収納する導光収納部を設けたりすることも特徴とする。
【発明の効果】
【０００５】
本発明に係る遊技機の前面パネル枠は、導光構造体と演出表示基板とが表面枠と裏面枠との間に配置され、導光構造体における複数の導光棒の端面と演出表示基板における複数の光源とが互いに対向され、表面枠と裏面枠とが導光構造体と演出表示基板とを前後方向から挟むように支持し、表面枠と裏面枠とが互いに結合されたことによって、複数の導光棒で表面枠を全体的に照明し、遊技者に訴える光による演出性能を高めることができるという利点がある。表面枠と裏面枠および導光構造体が前後方向に貫通する窓を備え、裏面枠の裏面に窓を塞ぐ透過性パネルを設ければ、透過性パネルの裏側に配置される遊技盤の前面における球の飛び交う遊技領域または図柄表示器の前面における図柄を前面パネル枠の窓および透過性パネルを通して遊技者に見せることができるという利点がある。裏面枠の前面が導光棒からの照明光を表面枠の方向に反射する反射面に形成されれば、導光棒からの照明光を裏面枠の反射面で表面枠の方向に反射し、表面枠を全体的に一層良好に照明することができるという利点がある。表面枠に導光構造体の導光棒を個別に収納する導光収納部を設ければ、導光構造体における複数の導光棒が表面枠に位置ずれすることなく正確に配置することができるという利点がある。
【発明を実施するための最良の形態】
【０００６】
図１乃至図６は、発明を実施するための最良の形態である。図１は、遊技機の前面パネル枠１を分解して前側から示す。図２は、上中下導光構造体４；５；６と上中下演出表示基板７；８；９との配置関係を正面から示す。図３は、裏面枠３と上中下演出表示基板７；８；９とを分解して前側から示す。図４は、前面パネル枠１における状態表示基板１０の周囲を縦方向に切断した断面を示す。図５は、裏面枠３とパネル構造体１０５とを分解して裏側から示す。図６は、前面パネル枠１を取り付けた遊技機としてのパチンコ機の遊技機枠１２１と遊技盤２１０とを分解して前側から示す。この明細書において、「前」、「後」、「裏」、「左」、「右」、「上」、「下」の方向は、図６の状態に遊技盤２１０および遊技機枠１２１を置いて前側から見た場合に特定される方向である。「後」と「裏」とは同じ方向である。
【０００７】
図１を参照し、前面パネル枠１の構成部品について説明する。前面パネル枠１は、表面枠２、裏面枠３、上導光構造体４、中導光構造体５、下導光構造体６、上演出表示基板７、中演出表示基板８、下演出表示基板９、状態表示基板１０、表示レンズ１１を備える。そして、表面枠２と裏面枠３とが上中下導光構造体４乃至６、上中下演出表示基板７乃至９、状態表示基板１０、表示レンズ１１を前後方向からサンドイッチ状態に挟むように支持し、上中下導光構造体４乃至６における多数本の導光棒１２；１３；１４と上中下演出表示基板７乃至９における多数個の光源１５；１６；１７とが正確に位置決めされ、裏面枠３と表面枠２とが互いに結合されることによって、前面パネル枠１が一体に組み立てられる構造である。
【０００８】
表面枠２は、枠中央部２０の左右両側に左右枠袖部２１；２２を個別に備える。枠中央部２０は、光を透過する無色な合成樹脂からなる前壁２３の中央に前後方向に貫通する窓としての丸窓２４を備える。丸窓２４は、前壁２３の前面から裏側に突出する円形周壁２５で囲まれる。前壁２３は、前壁２３の下縁部における左右方向の横幅が前壁２３における上縁部の左右方向の横幅よりも小さく、下縁部と上縁部とを結ぶ左右縁部が上方に行くにしたがって丸窓２４の方向に曲がる弧状になっている。前壁２３の周縁から裏側には上下左右側壁２６；２７；２８；２９が突出する。これによって、枠中央部２０の裏面には、前壁２３、円形周壁２５、上下左右側壁２６乃至２９で囲まれた裏側に開口された空間が形成される。左右側壁２８；２９には、上中下導光構造体４乃至６の導光棒１２乃至１４を個別に嵌め込むための導光収納部３０が設けられる。導光収納部３０は、左右側壁２８；２９の裏面から前側に弧状に窪む多数の窪みが上下方向に間隔を存在して連続した凹凸形状である。図１では、左側壁２８に形成された導光収納部３０の図示を省略している。右側壁２９の上下方向の中央部には、施錠逃収納部３１が、右側壁２９の右外側面から丸窓２４の方向に窪む、導光収納部３０を上下に分断する形状で設けられる。
【０００９】
前壁２３の上部左右の隅部には、放音孔体３２が、前壁２３に形成された貫通孔３３に前壁２３の裏側から貫通孔３３を塞ぐように挿入されて貫通孔３３の周囲における前壁２３の裏面に図外のタッピングスクリューのような止ねじで取り付けられる。放音孔体３２は、貫通孔を塞ぐ部分に多数の小孔からなる放音孔３４を備える。放音孔体３２は合成樹脂により形成され、放音孔体３２の表面が光を遮断するニッケルのような金属色を表現する表面被膜で全体的に被覆される。放音孔体３２の裏面には、図外のスピーカが放音孔３４から前側に放出するように裏側から図外のタッピングスクリューのような止ねじで取り付けられる。前壁２３の下部左右の隅部には、装飾体３５が、前壁２３に形成された貫通孔３６に裏側から貫通孔３６を塞ぐように挿入されて貫通孔３６の周囲における前壁２３の裏面に裏側から図外のタッピングスクリューのような止ねじで取り付けられる。装飾体３５は合成樹脂により形成され、装飾体３５の表面が光を遮断するニッケルのような金属色を表現する表面被膜で全体的に被覆される。
【００１０】
右枠袖部２２が上下方向の中央部に施錠逃部３７を有する以外、左右枠袖部２１；２２は合成樹脂により左右対称な形に形成され、左右枠袖部２１；２２の表面が光を遮断するニッケルのような金属色を表現する表面被膜で全体的に被覆される。左右枠袖部２１；２２は、裏側において図外のタッピングスクリューのような止ねじで枠中央部２０に取り付けられる。施錠逃部３７は、右枠袖部２２の右外側面から丸窓２４の方向に窪む、前後方向に貫通した形状である。左右枠袖部２１；２２の裏面は、前側に窪む凹状になっている。左右枠袖部２１；２２が枠中央部２０に取り付けられた状態において、左右枠袖部２１；２２の前面は、枠中央部２０における前壁２３の前面から左右方向の外側に行くにしたがって裏側に傾斜する斜面を形成する。左右枠袖部２１；２２の上部には、前後方向に貫通する放熱孔３８を備える。枠中央部２０の上下側壁２６；２７と左枠袖部２１の左側部および右枠袖部２２の右側部には、表面枠２と裏面枠３とを互いに嵌め合いで結合するための取付部３９が、貫通孔として形成される。
【００１１】
上導光構造体４は、光を導く性質の良好な無色の合成樹脂により、左右方向にまっすぐ延びた直線状の複数本の導光棒１２を互いに上下方向に隙間を介在し平行に並列に配置して左右側壁４１；４２で一体に連結した、構造である。図１では、導光棒１２は４本であって、下側の２本の導光棒１２の左右方向に中央には、表示レンズ１１を上導光構造体４に取り付ける図外のタッピングスクリューのような止ねじのねじ部を挿入するためのねじ挿入孔部４３が、上記２本の導光棒１２の間に位置し、当該２本の導光棒１２に連結される。
【００１２】
中導光構造体５は、光を導く性質の良好な無色の合成樹脂により、左右方向に延びた複数本の導光棒１３を互いに上下方向に隙間を介在し平行に並列に配置して左右側壁４４；４５で一体に連結した、構造である。図１では、導光棒１３は２本であって、２本の導光棒１３の左右方向に中央には、表示レンズ１１を中導光構造体５に取り付ける図外のタッピングスクリューのような止ねじのねじ部を挿入するためのねじ挿入孔部４６が、２本の導光棒１３の間に位置し、２本の導光棒１３に連結される。２本の導光棒１３は、左右側部から中央部の方向に行くにしたがって階段状に前側に突出し、中央部が最も前側に位置する、折れ曲がった形状である。
【００１３】
下導光構造体６は、光を導く性質の良好な無色の合成樹脂により、左右方向にまっすぐ延びた直線状の数十本以上のような多数本の導光棒１４を互いに上下方向に隙間を介在して平行に並列に配置して前後方向に貫通する窓としての丸窓４７を囲む円形周壁４８と左右側壁４９；５０とで一体に連結した、構造である。下導光構造体６における円形周壁４８の内径は、表面枠２における円形周壁２５の外径よりも大きく、下導光構造体６が枠中央部２０の裏面に配置された場合、下導光構造体６の円形周壁４８が表面枠２の円形周壁２５の外側に接触するように嵌め込まれる。下導光構造体６における下部の右の隅部には、複数本の導光棒１４を前後方向に貫通する証紙窓５１が形成される。証紙窓５１を縁取る周壁５２は、証紙窓５１の開口された複数本の導光棒１４を互いに一体に連結する。
【００１４】
下導光構造体６における右側壁５０の上下方向の中央部には、施錠逃収納部５３が、右側壁５０の右外側面から丸窓４７の方向に窪む形状で設けられる。下導光構造体６における最下部の導光棒１４および円形周壁４８には、下導光構造体６を表面枠２および裏面枠３に位置決めするための位置決め部５４；５５が設けられる。最下部の導光棒における位置決め部５４は、下導光構造体６が表面枠２の裏面に配置された場合、表面枠２の前側から見えないように、左右の装飾体３５で覆い隠される。上導光構造体４、中導光構造体５、下導光構造体６のそれぞれにおける導光棒１２乃至１４の裏面には、図外のスリットが多数形成される。スリットは、互いに、左右方向に間隔を介在して並列に配置され、導光棒１２乃至１４の裏面および上下方向に開口した溝形状である。
【００１５】
裏面枠３は、光を遮断する白色の合成樹脂からなる裏壁５７の中央に前後方向に貫通する窓としての丸窓５８を備える。丸窓５８は、裏壁５７から前側に突出する円形周壁５９で囲まれる。裏面枠３における円形周壁５９の外径は、表面枠２における円形周壁２５の外径と同一であって、下導光構造体６における円形周壁４８の内径よりも小さく、裏面枠３が下導光構造体６の裏面に配置された場合、裏面枠３の円形周壁５９が下導光構造体６における円形周壁４８の内側に接触するように嵌め込まれ、裏面枠３と表面枠２との間に下導光構造体６を配置して裏面枠３が表面枠２の裏面に配置された場合、裏面枠３の円形周壁５９が下導光構造体６における円形周壁４８の内部において表面枠２の円形周壁２５と同軸状に突き合わせられる。裏面枠３における円形周壁５９の内径は、表面枠２における円形周壁２５の内径と同一であって、裏面枠３と表面枠２とが互いに前後方向で重ね合わせられるように組み合わせられた場合、丸窓５８と丸窓２４とが前後方向に連なった一つの円形な貫通孔を形成する。
【００１６】
表示レンズ１１は、光を透過する性質の無色の合成樹脂により、左右方向に延びた複数本のレンズ体６１を互いに上下方向に隙間を介在し平行に並列に配置して左右側壁６２；６３で一体に連結した、構造である。左右側壁６２；６３には、上導光構造体４の導光棒１２および下導光構造体６の導光棒１４を個別に嵌め込むための導光収納部６４が設けられる。導光収納部６４は、左右側壁６２；６３の裏面から前側に弧状に窪む多数の窪みが上下方向に間隔を存在して連続した凹凸形状である。表示レンズ１１における最上部のレンズ体６１の左右方向の中央部には、表示レンズ１１を裏面枠３に位置決めするための位置決め部６５が設けられる。位置決め部６５は、レンズ体６１の裏面から前側に窪むとともに上下方向に開口した溝として形成される。裏面枠３には、図３において詳述する、下導光構造体６を裏面枠３に位置決めするための構造、演出表示基板７乃至９を取り付けるための構造、状態表示基板１０を取り付けるための構造が設けられる。裏面枠３には、図５において詳述する、丸窓５８を塞ぐパネル構造体１０５を取り付けるための構造が設けられる。
【００１７】
図２を参照し、上中下導光構造体４乃至６と上中下演出表示基板７乃至９との配置関係について説明する。上導光構造体４の左右には上演出表示基板７が配置され、中導光構造体５および下導光構造体６における上半部の左右には中演出表示基板８が配置され、下導光構造体６における下半部には下演出表示基板９が配置される。
【００１８】
左右の上演出表示基板７は、上下方向の大きさが同じであって、各光源１５を上導光構造体４における導光棒１２の全部と個別に対応するように上導光構造体４の方向に向けて配置され、各光源１５からの光が対応する各導光棒１２の端面から内部に入射して拡散と反射を繰り返し、人が上導光構造体４を前側から見た場合に各光源１５からの発光色で照明された上導光構造体４おける各導光棒１２を見ることができる。
【００１９】
左右の中演出表示基板８は、上下方向の大きさが異なる。左の中演出表示基板８が右の中演出表示基板８よりも大きい。左右の中演出表示基板８は、各光源１６を中導光構造体５における導光棒１３の全部と個別に対応しかつ下導光構造体６の上半部における複数の導光棒１４の全部と個別に対応するように中導光構造体５および下導光構造体６の方向に向けて配置され、各光源１６からの光が対応する各導光棒１３；１４の端面から内部に入射して拡散と反射を繰り返し、人が中導光構造体５および下導光構造体６を前側から見た場合に各光源１６からの発光色で照明された上導光構造体４および下導光構造体６の上半部における各導光棒１３；１４を見ることができる。
【００２０】
左右の下演出表示基板９は、上下方向の大きさが異なる。左の下演出表示基板９が右の下演出表示基板９よりも大きい。左右の下演出表示基板９は、各光源１７を下導光構造体６の下半部における複数の導光棒１４の全部と個別に対応するように下導光構造体６の方向に向けて配置され、各光源１７からの光が対応する各導光棒１４の端面から内部に入射して拡散と反射を繰り返し、人が下導光構造体６を前側から見た場合に各光源１７からの発光色で照明された下導光構造体６の下半部における各導光棒１４を見ることができる。ただし、右の中演出表示基板８の光源１６と右の下演出表示基板９の光源１７は、下導光構造体６の施錠逃収納部５３に配置されていないので、下導光構造体６における丸窓４７と施錠逃収納部５３との間に配置された複数の導光棒１４は、光源１６；１７によって、照明されない。
【００２１】
図３を参照し、下導光構造体６を裏面枠３に位置決めするための構造、上中下演出表示基板７乃至９の構造、上中下演出表示基板７乃至９を裏面枠３に取り付けるための構造、状態表示基板１０の構造、状態表示基板１０を裏面枠３に取り付けるための構造について説明する。下導光構造体６を裏面枠３に位置決めするための構造とし、裏面枠３の裏壁５７の下部前面および円形周壁５９に、位置決め部６７；６８が設けられる。上中下演出表示基板７乃至９は、別々のプリント回路基板のような回路基板の表面に光の三原色光源素子を備えるＬＥＤからなる複数の光源１５乃至１７を個別に実装した構造である。上中下演出表示基板７乃至９は、別々のプリント回路基板のような回路基板の表面に光の三原色光源素子を備えるＬＥＤからなる複数の光源１５乃至１７を個別に実装した構造である。
【００２２】
上中下演出表示基板７乃至９を裏面枠３に取り付けるための構造とし、裏壁５７の左右側部に、上基板取付部６９、中基板取付部７０、下基板取付部７１が、上から下に順に設けられる。上基板取付部６９は、裏壁５７の前面から前側に突出する周壁で囲まれた前側に開口する窪みとして形成された上基板収納部７２と、上基板収納部７２に設けられた上基板係合部７３とを備え、上演出表示基板７が上基板収納部７２に前側から収納され、上基板係合部７３が上演出表示基板７の前端部を前側から後側に押すように係合することによって、上演出表示基板７が裏面枠３に位置決めされて取り付けられる。上演出表示基板７における図外の配線は、上基板収納部７２より左右方向の外側に位置して裏壁５７に設けられた配線孔７４から裏面枠３の裏側に引き出される。
【００２３】
中基板取付部７０は、裏壁５７の前面から前側に突出する周壁で囲まれた前側に開口する溝として形成された中基板収納部７６と、中基板収納部７６に設けられた中基板係合部７７とを備え、中演出表示基板８が中基板収納部７６に前側から収納され、中基板係合部７７が中演出表示基板８の前端部を前側から後側に押すように係合することによって、中演出表示基板８が裏面枠３に位置決めされて取り付けられる。中演出表示基板８における図外の配線は、中基板収納部７６より左右方向の外側に位置して裏壁５７に設けられた配線孔７８から裏面枠３の裏側に引き出される。
【００２４】
下基板取付部７１は、裏壁５７の前面から前側に突出する周壁で囲まれた前側に開口する溝として形成された下基板収納部８０と、下基板収納部８０に設けられた下基板係合部８１とを備え、下演出表示基板９が下基板収納部８０に前側から収納され、下基板係合部８１が下演出表示基板９の前端部を前側から後側に押すように係合することによって、下演出表示基板９が裏面枠３に位置決めされて取り付けられる。下演出表示基板９における図外の配線は、配線孔７８から裏面枠３の裏側に引き出される。
【００２５】
状態表示基板１０は、プリント回路基板のような回路基板の表面に光の三原色光源素子を備えるＬＥＤからなる複数の光源８３を実装した構造であって、左右の位置にねじ挿入孔８４を備え、左右方向の中央下部に位置決め部８５を貫通孔として備え、左右方向の中央上部に逃孔８６を備える。ねじ挿入孔８４は、状態表示基板１０を裏面枠３に取り付けるタッピングスクリューのような止ねじ８７のねじ部を挿入する部分である。
【００２６】
状態表示基板１０を裏面枠３に取り付けるための構造とし、裏壁５７の上部に、基板収容部８８、基板位置決め部８９、基板取付孔９０、配線孔９１が設けられる。基板収容部８８は、裏壁５７の前面から前側に突出する周壁で囲まれた前側に開口する窪みとして形成される。基板位置決め部８９は、基板収容部８８の左右方向の中央下部から前側に突出した突起として形成される。基板取付孔９０は、基板収容部８８の左右の位置で前後方向に貫通した孔である。配線孔９１は、基板収容部８８の右の位置で前後方向に貫通する孔である。そして、状態表示基板１０の光源８３が前側に向けられ、状態表示基板１０の位置決め部８５が基板位置決め部８９に前側から挿入され、状態表示基板１０が基板収容部８８に収納され、状態表示基板１０における図外の配線が配線孔９１から裏面枠３の裏側に引き出され、止ねじ８７が状態表示基板１０のねじ挿入孔８４から基板取付孔９０に締結されることによって、状態表示基板１０が裏面枠３に位置決めされて取り付けられる。
【００２７】
基板収容部８８には、表示レンズ１１を取り付ける図外の止ねじのねじ部を挿入するための筒状のねじ支持部９２が設けられる。ねじ支持部９２は、状態表示基板１０が基板収容部８８に収納される場合に、状態表示基板１０の逃孔８６から前側に突出する。裏壁５７には、表示レンズ１１を位置決めするための位置決め部９３が、基板収容部８８の上部に位置し、前側に突出する。裏壁５７における下部の右の隅部には、証紙窓９４が形成される。裏壁５７の周縁には上下左右側壁９５；９６；９７；９８が設けられる。上下右側壁９５；９６；９８は、裏壁５７の周縁から前後方向に突出する。上下右側壁９５；９６；９８には、表面枠２の取付部３９に嵌合する突起としての取付部９９が設けられる。右側壁９８の上下方向の中央部には、施錠逃部１００が設けられる。施錠逃部１００は、右側壁９８の右外側面から丸窓５８の方向に窪む、前後方向に貫通した形状である。裏壁５７の左右の位置には、下演出表示基板８における図外の配線を通すための配線掛止部１０１が設けられる。裏壁５７の上部の裏面には、裏壁５７の裏側に引き出された図外の配線を通すための配線掛止部１０２が設けられる。裏壁５７の上部には、上導光構造体５を受け止める導光支持部１０３が、基板収容部８８の左右方向に位置して設けられる。
【００２８】
図１に戻り、前面パネル枠１の組立方について説明する。状態表示基板１０が、裏面枠３の基板収容部８８に位置決めされて止ねじ８７で取り付けられる。上導光構造体４と中導光構造体５とが、状態表示基板１０の光源８３を前側から被覆するのに伴い導光支持部１０３に受け止められて裏面枠３に配置される。表示レンズ１１が、上導光構造体４における下部の２本の導光棒１２の中央部と中導光構造体５における全部の導光棒１３の中央部とを前側から覆うように配置された後、裏面枠３の裏側から図外の止ねじが、ねじ支持部９２の内部孔と上導光構造体４のねじ挿入孔部４３とを経由して表示レンズ１１に締結されることによって、上導光構造体４と中導光構造体５と表示レンズ１１とが、裏面枠３における裏壁５７の前面に固定される。
【００２９】
下導光構造体６の円形周壁４８と裏面枠３の円形周壁５９とが互いに前後方向で嵌め合わされ、下導光構造体６の位置決め部５４；５５と裏面枠３の位置決め部６７；６８とが互いに前後方向で嵌め合わさることによって、下導光構造体６における左右側壁４９；５０の縦長な帯状の裏面が、裏面枠３の裏壁の前面に接触する。左右の上演出表示基板７と左右の中演出表示基板８と左右の下演出表示基板９とが、左右の上基板取付部６９と左右の中基板取付部７０と左右の下基板取付部７１とに個別に取り付けられる。このように、上導光構造体４、中導光構造体５、下導光構造体６、上演出表示基板７、中演出表示基板８、下演出表示基板９のそれぞれが、裏面枠３に装着されることによって、各導光棒１２乃至１４の左右両端と各光源１５乃至１７とが互いに対向する。
【００３０】
そして、表面枠２の裏面と裏面枠３の前面とが互いに向き合わされ、表面枠２と裏面枠３とが互いに組み合わされることによって、上導光構造体４における左右側壁４１；４２の内側に近い部分での導光棒１２、中導光構造体５における左右側壁４４；４５の内側に近い部分での導光棒１３、下導光構造体６における左右側壁４９；５０の内側に近い部分での導光棒１４が、表面枠２における左右の導光収納部３０に取り込まれ、表面枠２における枠中央部２０の上下側壁２６；２７と左右枠袖部２１；２２とが、裏面枠３の上下左右側壁９５乃至９８を外側から覆い、表面枠２の取付部３９と裏面枠３の取付部９９とが図４に示すように互いに嵌め合わせる。これによって、表面枠２と裏面枠３とが上中下導光構造体４乃至６、上中下演出表示基板７乃至９、状態表示基板１０、表示レンズ１１を前後方向からサンドイッチ状態に挟むように支持し、上中下導光構造体４乃至６における多数本の導光棒１２乃至１４および上中下演出表示基板７乃至９における多数個の光源１５乃至１７はがたつくことなく正確に位置決めされ、裏面枠３と表面枠２とが互いに結合されることによって、前面パネル枠１が一体に組み立てられる。
【００３１】
前記のように前面パネル枠１が一体に組み立てられた場合、上中下導光構造体４乃至６における多数本の導光棒１２乃至１４が表面枠２の導光収納部３０に取り込まれ、上中下演出表示基板７乃至９が上中下基板取付部６９乃至７１に取り付けられているので、多数本の導光棒１２乃至１４と上中下演出表示基板７乃至９における多数個の光源１５乃至１７とが互いに正確に左右方向に対向するように位置を合わせて表面枠２と裏面枠３との間に組み込まれる。これによって、多数本の導光棒１２乃至１４と多数個の光源１５乃至１７とを表面枠２と裏面枠３との間に簡単に組み込むことができる。多数本の導光棒１２乃至１４と多数個の光源１５乃至１７とが表面枠２の裏面に配置され、多数本の導光棒１２乃至１４で表面枠２を全体的に照明し、遊技者に訴える光による演出性能を高めることができる。裏面枠３が白色の反射面に構成されているので、導光棒１２乃至１４からの照明光を裏面枠３における白色の反射面で表面枠２の方向に反射し、表面枠２を全体的に一層良好に照明することができる。光を遮断する左右枠袖部２１；２２が、上中下導光構造体４乃至６の配置される枠中央部２０の左右方向両側に設けられているので、上中下演出表示基板７乃至９やそれの配線あるいは上中下基板取付部６９乃至７１などを左右枠袖部２１；２２で覆い隠すことができるという利点がある。
【００３２】
図５を参照し、パネル構造体１０５を裏面枠３の裏面に取り付けるための構造について説明する。パネル構造体１０５は、光を透過する無色なガラスまたは合成樹脂により形成された前後２枚の透過性パネル１０６の周縁部を、アルミニウムのような軽金属からなる前後方向に開口した開口部１０７を囲むように形成されたパネルフレーム１０８の内部に嵌め込まれる。パネルフレーム１０８の左側部には、パネル側ヒンジ１０９が上下に設けられる。パネル側ヒンジ１０９は、パネルフレーム１０８の左側部から左側に突出したヒンジブラケット１１０から下部に突出したヒンジピンとして形成される。裏面枠３の裏壁５７における円形周壁５９の周囲には、パネル構造収納部１１１が裏壁５７の裏面から前側に窪む凹部として形成される。
【００３３】
裏面枠３の裏壁５７の左側部には、金属からなる縦長板状のヒンジフレーム１１２が設けられる。ヒンジフレーム１１２の上下部には、枠側ヒンジ１１３が設けられる。上部の枠側ヒンジ１１３は、ヒンジフレーム１１２の上部から裏側に突出したヒンジブラケット１１４に上下方向に貫通したヒンジピンとして形成される。枠側ヒンジ１１３におけるヒンジブラケット１１４から上方に突出するヒンジピンは、ヒンジブラケット１１４の内部に設けられたコイルスプリングのようなばねで上方に付勢される。下部の枠側ヒンジ１１３は、ヒンジフレーム１１２の下部から裏側に突出したヒンジブラケット１１４から下方に突出したヒンジ孔として形成される。ヒンジフレーム１１２の中間部には、裏面枠側ヒンジ１１５が設けられる。裏面枠側ヒンジ１１５は、ヒンジフレーム１１２から後側に突出したヒンジブラケット１１６に上下方向に突出した貫通したヒンジ孔として形成される。裏面枠３の裏壁５７の右側部には、構造体係合部１１７が上下に設けられる。構造体係合部１１７は、裏壁５７から裏側に突出した係合支持部１１８に回転可能に取り付けられる。
【００３４】
そして、パネル構造体１０５のパネル側ヒンジ１０９が、裏面枠３の裏面枠側ヒンジ１１５に上方から嵌め込まれ、パネル構造体１０５が、裏面枠３の裏面の方向に閉じられると、パネルフレーム１０８がパネル構造収納部１１１に収納され、パネルフレーム１０８の前面がパネル構造収納部１１１の裏面に接触する。その後、構造体係合部１１７が人によって図５に示した位置から左側に回転されてパネルフレーム１０８における右側部の裏面を前側に押すように係合する。これによって、パネル構造体１０５が裏面枠３の裏面に開閉不能に支持され、透過性パネル１０６が裏面枠３の丸窓５８を裏側から塞ぐ。
【００３５】
図６を参照し、遊技機としてのパチンコ機について説明する。パチンコ機の遊技機枠１２１は、遊技店の島と呼ばれる図外の遊技機設置構造体に取り付けるための外枠と呼ばれるような固定枠１２２を備える。固定枠１２２は、前後方向に開放された縦長な長方形の空間を囲む額縁形状である。固定枠１２２の下部前面に設けられた幕板部１２３には、図外の低音用のスピーカの低音を幕板部１２３の裏側から前側に放出する放音孔部１２４が、左右に設けられる。放音孔部１２４の裏面には、低音用のスピーカが、個別に取り付けられる。固定枠１２２には、前枠または中枠と呼ばれるような可動枠１２５が、左側の金属製のヒンジ１２６で前側横方向に片開き可能にかつ着脱可能（交換可能）に取り付けられる。
【００３６】
可動枠１２５は、前後方向に開放された縦長な長方形の空間を囲む額縁形状の可動枠本体１２７と、可動枠本体１２７から内部に延設された遊技主体収納構造体１２８とを備える。可動枠本体１２７には、前面パネル枠１および球皿構造体１３０が、左側に設けられるヒンジ１３１で前側横方向に片開き可能に取り付けられる。前面パネル枠１においては、図５に示す下部の枠側ヒンジ１１３がヒンジ１３１に形成されたヒンジ孔に上方から挿入され、図５に示す上部の枠側ヒンジ１１３がばねを圧縮しつつブラケットの方向に移動されてヒンジ１２６の付近に設けられた枠側ヒンジ１１３に相当する図外の枠側ヒンジとしてのヒンジ孔と位置があったところでばねの復元しようとするばね力で下方から挿入されることによって、前面パネル枠１が可動枠本体１２７に取り付けられる。可動枠本体１２７の右側部には、施錠装置１３２とロック機構１３３；１３４；１３５が設けられる。可動枠１２５が、閉じられた場合、ロック機構１３３によって、固定枠１２２に、開閉不能に支持される。前面パネル枠１が、閉じられた場合、ロック機構１３４によって、可動枠本体１２７に、開閉不能に支持される。球皿構造体１３０が、閉じられた場合、ロック機構１３５によって、可動枠本体１２７に、開閉不能に支持される。可動枠１２５や前面パネル枠１および球皿構造体１３０が、閉じられ、ロック機構１３３乃至１３５で開閉不能に支持された状態において、遊技店の店員が、図外のキープレート（鍵）を遊技機枠１２１の前側から施錠装置１３２の鍵穴１３６に挿入し、当該キープレートを例えば右側に９０度回転操作すると、固定枠１２２と可動枠１２５とのロック機構１３３による支持形態が解除される。この支持形態の解除後に、店員が、可動枠１２５を前側に引くことによって、可動枠１２５は、ヒンジ１２６を中心として前側に片開きされる。
【００３７】
上記施錠装置１３２の鍵穴１３６に挿入されたキープレートが、人によって例えば左側に９０度回転操作されると、可動枠１２５と前面パネル枠１とのロック機構１３４による支持形態が解除される。この支持形態の解除後に、店員が、前面パネル枠１を前側に引くことによって、前面パネル枠１は、ヒンジ１３１を中心として前側に片開きされる。このように、前面パネル枠１が、前側に開かれた状態において、店員が、可動枠１２５の前面のロック解除操作体１３７を操作すると、可動枠１２５と球皿構造体１３０とのロック機構１３５による支持形態が解除される。この支持形態の解除後に、店員が、球皿構造体１３０を前側に引くことによって、球皿構造体１３０は、ヒンジ１３１を中心として前側に片開きされる。球皿構造体１３０の前面には、球受皿部１３８と発射操作機構１３９とを備える。球受皿部１３８は、遊技に使用する球を受ける上方に開放された形態である。球皿構造体１３０の裏面には、球払出機構１５６から排出された球を球受皿部１３８に受け入れる球取入口１４０と、球受皿部１３８から発射機構１５１に球を供給する球供給口１４１とを備える。
【００３８】
遊技主体収納構造体１２８は、前側に開放された遊技主体収納室１４２、遊技主体収納室１４２の後壁に形成された前後方向に貫通する中央開口部１４３を備える。遊技主体収納室１４２の左側部には、遊技盤２１０を裏側から前側に押圧する板ばねにより構成された遊技主体押圧部１４４と、遊技主体押圧部１４４で前側に押された遊技盤２１０を前側から受け止める遊技主体受部１４５とを備える。遊技主体収納室１４２の右側部には、遊技主体ロック部材１４６を備える。遊技主体ロック部材１４６は、遊技主体収納構造体１２８から前側に突出する台座の中心にロック操作部１４７を回転可能に備える。ロック操作部１４７は、台座から前側に突出した操作軸の端部に固定された横長な形態である。
【００３９】
遊技主体収納室１４２の下縁部は、遊技盤２１０の下部を搭載する左右方向に平坦な面としての遊技主体棚１４８を構成する。遊技主体棚１４８の裏面には、球機外排出樋１４９が設けられる。球機外排出樋１４９は、遊技盤２１０の裏面から下方に排出された球を可動枠１２５から図外の遊技機設置構造体における球捕集機構に向けて排出する通路を遊技主体棚１４８の裏側に形成する。遊技主体棚１４８の前縁から下方に延設された前壁１５０の前面には、発射機構１５１、発射レール１５２、ファール球取入口部１５３、前横樋１５４を備える。
【００４０】
発射機構１５１は、電力供給と遮断とを交互に受けることによって、球受皿部１３８から発射レール１５２に供給された１個の球を遊技盤２１０の遊技領域２１２に向けて発射する。発射レール１５２は、球皿構造体１３０の球供給口１４１から供給された１個の球を受け取り、この受け取った球が発射機構１５１で発射されると、この発射された球を、遊技盤２１０における発射通路２１５の入口に誘導する。ファール球取入口部１５３は、遊技盤２１０の発射通路２１５から落下する球を取り込む。前横樋１５４は、可動枠１２５の裏部に取り付けられた球払出機構１５６から払い出された球とファール球取入口部１５３から排出された球とを、遊技機枠１２１の裏側から排出される球として、遊技機枠１２１の前側の球皿構造体１３０に排出するための球取入口１４０に誘導するとともに当該球に帯電した静電気を除去する通路を形成する。遊技主体収納構造体１２８の裏面には、タンク１５５、球払出機構１５６、図外の電源装置、図外の発射払出制御装置が設けられる。
【００４１】
遊技盤２１０は、非遊技領域を形成する周辺飾り構造体２１１と、周辺飾り構造体２１１で囲まれた内側の遊技領域２１２を形成する板状構造体２１３とを備える。周辺飾り構造体２１１は、遊技主体収納室１４２に格納される方形板状の中央に、前後方向に貫通する丸形開口部２１４と、丸形開口部２１４の左側部に前側開放縦溝形状の発射通路２１５とを備える。発射通路２１５の左側面と当該左側面から右側に弧状に延長する丸形開口部２１４の上部弧状側面とには、ステンレスのような金属帯板状の外ガイドレール２１７が、一連に付設される。
【００４２】
発射通路２１５の右側面および当該右側面から右側に弧状に延長する丸形開口部２１４の下部弧状側面は、発射通路２１５の縦形の底部と丸形開口部２１４より前方に突出する内ガイドレール２１６を形成する。内ガイドレール２１６における下部弧状側面の最下部には、アウト口２１８を囲むとともに球を遊技盤２１０の前側から裏側に排出するハートと呼ばれるアウト口部２１９が、内ガイドレール２１６から内側に突出した格好に連接される。内ガイドレール２１６およびアウト口部２１９は、周辺飾り構造体２１１と一緒に合成樹脂により形成される。よって、発射通路２１５以外における外ガイドレール２１７と内ガイドレール２１６とが、遊技領域２１２を囲む丸形開口部２１４である。アウト口部２１９は、遊技領域２１２の最下部に配置される。発射通路２１５は、図２の発射機構１５１から発射された球を遊技領域２１２に案内する通路である。
【００４３】
発射機構１５１から発射された球を発射通路２１５から遊技領域２１２に放出する発射通路２１５の出口には、戻り球防止弁２２０が、設けられる。戻り球防止弁２２０の取付部は、内ガイドレール２１６の端部に沿うように、周辺飾り構造体２１１に取り付けられる。戻り球防止弁２２０は、外ガイドレール２１７や内ガイドレール２１６よりも厚さの薄い薄帯板状のステンレスまたは合成樹脂により形成される板ばねであって、発射通路２１５から遊技領域２１２に発射された球の遊技領域２１２から発射通路２１５への流入を防止する。周辺飾り構造体２１１の下縁部には、不正防止バンド２２１が、直線的に取り付けられる。不正防止バンド２２１は、弾性の有る合成樹脂で形成されたものであって、前面パネル枠１が、閉じられることによって、不正防止バンド２２１が、透過性パネル１０６の裏面（遊技盤２１０の側に位置する面）に接触し、遊技者が、ピアノ線や合成樹脂製薄帯板などの不正操作部材を遊技領域２１２よりも下方の遊技機枠１２１の前側から遊技機枠１２１の前面構成部品間の隙間を経由して遊技領域２１２に挿入しようとした場合、透過性パネル１０６の内側面に接触した不正防止バンド２２１が、不正操作部材を受け止めて不正操作部材の遊技領域２１２への侵入を防止する。
【００４４】
周辺飾り構造体２１１の右側の上下部には、遊技盤２１０を遊技機枠１２１に固定するための取付部２２２が、設けられる。取付部２２２は、遊技主体収納室１４２に設けられた遊技主体ロック部材１４６と係合するロック挿入孔２２３を備える。周辺飾り構造体２１１の右側の下部には、証紙台２２４が、前後方向に開閉可能に設けられる。証紙台２２４が、周辺飾り構造体２１１との連結部である図外のヒンジを中心として前方に開かれることによって、下部の取付部２２２が、周辺飾り構造体２１１の前側から見える格好となる。そして、証紙台２２４が上記ヒンジを中心として後方に閉じられて証紙台受部２２５で受け止められると、取付部２２２が証紙台２２４で覆われて周辺飾り構造体２１１の前側から見えなくなる。閉じられた証紙台２２４の前面には、遊技盤２１０の検査に合格して販売の認可を受けたことを示すための図外の証紙が、貼り付けられる。
【００４５】
遊技領域２１２を形成する光透過性合成樹脂からなる板状構造体２１３には、センター飾り２２６、一般入賞部品２２７、作動入賞部品２２８、始動入賞部品２２９、可変入賞部品２３０、遊技釘２３１、風車２３２などの前側部品が、周辺飾り構造体２１１の発射通路２１５を除く丸形開口部２１４で囲まれた光透過性を有する遊技領域２１２に取り付けられる。一般入賞部品２２７は、球を遊技領域２１２から取り込み、当該取り込んだ球を遊技領域２１２の裏側に排出する、取込形である。一般入賞部品２２７の内部には、図外の一般入賞球検出器を備える。作動入賞部品２２８は、球を遊技領域２１２から取り込み、当該取り込んだ球を遊技領域２１２の裏側に取り込むことなく、遊技領域２１２に排出する、通過形である。作動入賞部品２２８の内部には、図外の作動入賞球検出器を備える。始動入賞部品２２９は、左右に開閉する一対の羽根の下部を中心とし、一対の羽根を図外の始動駆動源で左右方向に開閉する電動チューリップと呼ばれる構造である。始動入賞部品２２９は、球を遊技領域２１２から取り込み、当該取り込んだ球を遊技領域２１２の裏側に排出する、取込形である。
【００４６】
始動入賞部品２２９の左右一対の羽根は、閉じた場合でも、球を受け入れ得る形態、受け入れない形態のいずれでも適用できる。始動入賞部品２２９の内部には、図外の始動入賞球検出器を備える。可変入賞部品２３０は、横長な長方形状の開閉体２３３の下部を中心とし、開閉体２３３を図外の可変駆動源で前後方向に開閉するアタッカーまたは大入賞口と呼ばれる構造である。可変入賞部品２３０の開閉体２３３で閉じたり開かれたりする空洞形状の球受入部の内部には、カウントスイッチと呼ばれる図外の普通入賞球検出器と、Ｖスイッチまたは継続スイッチと呼ばれる図外の特定入賞球検出器とを備える。可変入賞部品２３０の球受入部に取り込まれた球は、普通入賞球検出器または特定入賞球検出器を通過した後に遊技盤２１０の裏側に排出される。よって、可変入賞部品２３０は、取込形である。
【００４７】
センター飾り２２６は、光透過性合成樹脂により形成された上方に向けて突出する弧状であって、板状構造体２１３の裏面から図外のタッピングスクリューのような止ねじで板状構造体２１３の前面に取り付けられる。一般入賞部品２２７、作動入賞部品２２８、始動入賞部品２２９、可変入賞部品２３０は、光透過性合成樹脂により形成された部品であって、板状構造体２１３の裏面から図外のタッピングスクリューのような止ねじで板状構造体２１３の前面に取り付けられる。遊技釘２３１は、真鍮で形成された障害釘とも呼ばれる釘であって、板状構造体２１３の前面から内部に打ち込まれる。よって、人が、これらの前側部品を備えた遊技盤２１０を前側から見た場合、遊技領域２１２における一般入賞部品２２７、作動入賞部品２２８、始動入賞部品２２９、可変入賞部品２３０、遊技釘２３１で覆われた以外の部分の裏側を視認することができる。
【００４８】
遊技盤２１０の裏面には、球案内体２３４が、一般入賞部品２２７と始動入賞部品２２９と可変入賞部品２３０との裏側に位置して設けられる。球案内体２３４は、遊技盤２１０の遊技領域２１２から一般入賞部品２２７や始動入賞部品２２９あるいは可変入賞部品２３０に取り込まれて遊技盤２１０の裏側に排出された球を下方に誘導して球機外排出樋１４９に排出するための裏側部品である。遊技盤２１０の前側部品および裏側部品は、遊技部品と総称される。球案内体２３４の裏面には、図外の主制御装置や図外の複合制御装置が設けられる。主制御装置は、一般入賞球検出器、作動入賞球検出器、始動入賞球検出器、普通入賞球検出器、特定入賞球検出器などからの信号に基づき遊技全般の制御処理を実行する。図１に示す状態表示基板１０の光源８３は、主制御装置からの遊技状況に関する出力で点灯、点滅、消灯する。複合制御装置は、主制御装置からの信号に基づきスピーカや上中下演出表示基板７乃至９の光源１５乃至１７に対する演出全般の制御処理を実行する。
【００４９】
図６において、遊技盤２１０の遊技領域２１２が前側に向けられ、遊技盤２１０が遊技機枠１２１の前側から遊技主体収納室１４２に挿入され、遊技盤２１０の下部が遊技主体棚１４８の上に載せられ、遊技盤２１０の左側部が遊技主体受部１４５と遊技主体押圧部１４４との間に挿入されて前後方向から挟まれた後、遊技盤２１０の右側部が作業者によって後側に押され、遊技主体ロック部材１４６のロック操作部１４７が取付部２２２のロック挿入孔２２３に後側から挿入されて前側に突出した状態において、作業者がロック操作部１４７を例えば右方向に９０度回転操作すると、ロック操作部１４７がロック挿入孔２２３の周りにおける取付部２２２と係合し、遊技盤２１０が可動枠１２５に取り付けられる。前面パネル枠１が閉じられて可動枠１２５に開閉不能に支持され、遊技盤２１０の前側が前面パネル枠１で覆われ、球皿構造体１３０が閉じられ、可動枠１２５が閉じられる。その状態において、遊技機枠１２１の裏面における図外の電源装置が供給された交流電源を直流電源に変換し、変換した直流電源を主制御装置、発射払出制御装置、複合制御装置に供給すると、主制御装置、発射払出制御装置、複合制御装置が起動する。
【００５０】
そして、遊技者が球受皿部１３８に球を入れて発射操作機構１３９を操作すると、発射払出制御装置が発射機構１５１を発射操作機構１３９から出力された操作量に応じた発射力で例えば１分間に１から１００発未満までの所定数の間隔で駆動し、発射機構１５１が球受皿部１３８から発射レール１５２に供給された球を１個ずつ遊技盤２１０の発射通路２１５に向けて発射する。この発射通路２１５に発射された球が、発射通路２１５から戻り球防止弁２２０を押し開けて遊技領域２１２に到達した後に遊技領域２１２を流下する過程において、一般入賞部品２２７や始動入賞部品２２９あるいは可変入賞部品２３０に入賞すると、一般入賞部品２２７や始動入賞部品２２９あるいは可変入賞部品２３０に入賞した球が、遊技盤２１０の裏側に排出される一方、それぞれの入賞に対応する賞球としての球が、球払出機構１５６から球受皿部１３８に払い出される。一般入賞部品２２７や始動入賞部品２２９あるいは可変入賞部品２３０に入賞しないで遊技領域２１２の最下部に流れた球は、アウト口２１８に取り込まれて遊技盤２１０の裏側に排出される。
【産業上の利用可能性】
【００５１】
図６において、板状構造体２１３が光を透過する無色な合成樹脂により形成され、画像表示装置の表示画面または映写装置のスクリーンが遊技主体収納構造体１２８の裏面に中央開口部１４３に対応するように設けられることによって、遊技者は、遊技機枠１２１の前側から前面パネル枠１の丸窓２４；４７；５８および透過性パネル１０６を通し、画像表示器の表示画面または映写装置のスクリーンに映し出された画像を遊技領域２１２の全域に見ながら遊技領域２１２に行き交う球の動きを見ることができる。画像表示器は、例えば、電気的に表示形態の変えられる画像を表示画面に表示する液晶表示器からなる面状表示器により構成される。映写装置は、例えば、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写するように構成される。遊技機がスロットマシンでも同様に適用することができる。図１における上中下導光構造体４乃至６を１つにつなげた単一な導光構造体としてもよい。上中下演出表示基板７乃至９を１つにつなげた単一な演出表示基板とし、この単一な演出表示基板を左右に用いてもよい。状態表示基板１０や表示レンズ１１は設けなくてもよい。丸窓２４；４７；５８は、円形以外の形の窓でもよい。裏面枠３を白色以外の合成樹脂で形成し、裏面枠３における裏壁の前面に、白色または銀白色のような表面層を反射面として形成してもよい。
【図面の簡単な説明】
【００５２】
【図１】前面パネル枠を示す分解斜視図（最良の形態）。
【図２】導光構造体と演出表示基板との配置関係を示す正面図（最良の形態）。
【図３】裏面枠と演出表示基板とを示す分解斜視図（最良の形態）。
【図４】前面パネル枠の状態表示基板周りを示す縦断面図（最良の形態）。
【図５】裏面枠とパネル構造体とを裏側から示す分解斜視図（最良の形態）。
【図６】パチンコ機の遊技機枠と遊技盤とを示す分解斜視図（最良の形態）。
【符号の説明】
【００５３】
１  前面パネル枠、２  表面枠、３  裏面枠、４  上導光構造体、５  中導光構造体、
６  下導光構造体、７  上演出表示基板、８  中演出表示基板、９  下演出表示基板、
１２  導光棒、１３  導光棒、１４  導光棒、１５  光源、１６  光源、１７  光源、
２４  丸窓、３０  導光収納部、４７  丸窓、５８  丸窓、１０６  透過性パネル。
【図１】
2006075258.tif 000003
【図２】
2006075258.tif 000004
【図３】
2006075258.tif 000005
【図４】
2006075258.tif 000006
【図５】
2006075258.tif 000007
【図６】
2006075258.tif 000008